(57)【要約】【課題】観察の精度を向上させることが可能な観察装置を提供することを目的とする。【解決手段】観察装置は、直列に接続された複数の発光ダイオードＬＤ１〜ＬＤ６に、複数の発光ダイオードＬＤ１〜ＬＤ６の発熱を抑制するための複数の抵抗Ｒ１〜Ｒ４、及び複数の発光ダイオードＬＤ１〜ＬＤ６に過電流が流れることを防止するためのダイオードＤ１、が直列に接続され、複数の発光ダイオードＬＤ１〜ＬＤ６により照射された観察対象部を拡大する拡大鏡を備える。【選択図】図１１
2011013659.tif 000002
【特許請求の範囲】
【請求項１】
直列に接続された複数の発光ダイオードと、
前記複数の発光ダイオードの発熱を抑制するために、前記複数の発光ダイオードと直列に接続された複数の抵抗と、
前記発光ダイオードに過電流が流れることを防止するために、前記複数の発光ダイオードと直列に接続されたダイオードと、
前記複数の発光ダイオードにより照射された観察対象部を拡大する拡大鏡と
を備えたことを特徴とする観察装置。
【請求項２】
前記複数の発光ダイオード、前記複数の抵抗及び前記ダイオードが実装された複数の基板と、
前記複数の基板を取り付けるフレームと、
前記フレームと前記基板との間に設けられ、前記フレームよりも熱伝導率の高い材質の放熱板と
を備えたことを特徴とする請求項１に記載の観察装置。
【請求項３】
前記拡大鏡は、前記観察対象部の真上に設けられ、
前記拡大鏡の周りに配置され、前記複数の発光ダイオード、前記複数の抵抗及び前記ダイオードが実装された複数の基板を備え、
前記複数の基板に実装された前記複数の発光ダイオードは、水平面の垂直線に対して略３０度の傾きで、前記水平面上に置かれた前記観察対象部の上方の四方から略８０度の照射角度で照射することを特徴とする請求項１又は請求項２に記載の観察装置。
【請求項４】
前記複数の基板は、前記拡大鏡の外周に配置され、
前記複数の基板を覆い、前記複数の基板を保護するための保護板と、
前記保護板の前記拡大鏡に近接する部分に、前記複数の発光ダイオードから照射された光の映り込みを防止するために貼られたテープと
を備えたことを特徴とする請求項２又は請求項３に記載の観察装置。
【請求項５】
前記観察対象部に対して前記拡大鏡を垂直方向に可動させる垂直方向可動手段と、
前記観察対象部に対して前記拡大鏡を水平方向に可動させる水平方向可動手段と、
前記観察対象部に対して前記拡大鏡の傾きを可変にする傾き可変手段と
を備えたことを特徴とする請求項１から請求項４のいずれか１項に記載の観察装置。
【発明の詳細な説明】
【技術分野】
【０００１】
本発明は観察装置に関する。
【背景技術】
【０００２】
例えば食品の製造処理工程に用いられ、食品等の処理対象物を搬送するコンベヤ装置が知られている（例えば、特許文献１参照）。コンベヤ装置は、搬送路の両端に設けられた回転可能な搬送ローラ間に無端の搬送ベルトを掛け渡して構成され、搬送ローラの回転により搬送ベルトを一方から他方へ送る機能を有している。搬送路に沿って複数の処理ステーションが設けられ、各処理ステーションにて、搬送ベルト上に載置されて送られる処理対象物に対する組立処理、箱詰め処理、加工処理、検査処理などの各種処理が行われる。一般にこれらの処理は作業者が肉眼による目視で直接検視・観察しながら行われる。
【０００３】
また、このような観察は、食品に限らず、精密機器の検査や病院施設における検査など、多岐の分野において行われている。
【先行技術文献】
【特許文献】
【０００４】
【特許文献１】特開２００８−２５９９９７号公報
【発明の概要】
【発明が解決しようとする課題】
【０００５】
しかしながら、上記技術では、以下の課題がある。すなわち、肉眼による目視では検視・観察の精度が低く、処理精度の向上が困難であるという問題がある。
【０００６】
そこで、本発明は、観察の精度を向上させることが可能な観察装置を提供することを目的とする。
【課題を解決するための手段】
【０００７】
本発明の一態様にかかる観察装置は、直列に接続された複数の発光ダイオードと、前記複数の発光ダイオードの発熱を抑制するために、前記複数の発光ダイオードと直列に接続された複数の抵抗と、前記発光ダイオードに過電流が流れることを防止するために、前記複数の発光ダイオードと直列に接続されたダイオードと、前記複数の発光ダイオードにより照射された観察対象部を拡大する拡大鏡と、を備えたことを特徴とする。
【発明の効果】
【０００８】
本発明によれば、観察の精度を向上することが可能となる。
【図面の簡単な説明】
【０００９】
【図１】本発明の第１実施形態に係るコンベヤ装置を概略的に示す斜視図。
【図２】本発明の第１実施形態に係る観察装置を示す平面図。
【図３】同観察装置を示す正面図。
【図４】同観察装置を示す背面図。
【図５】同観察装置を示す側面図。
【図６】同観察装置の照射調整部の動作を示す説明図。
【図７】同観察装置の支持調整部の動作を示す説明図。
【図８】本発明の他の実施形態にかかる観察装置の構成を示す平面図。
【図９】同観察装置の構成を示す正面図。
【図１０】本発明の第２実施形態に係る観察装置の電気回路の構成を示す回路図。
【図１１】同観察装置のＬＥＤ基板の電気回路の構成を示す回路図。
【図１２】同観察装置の観察対象物を照射する状態を示す側面図。
【図１３】同観察装置のフレーム部内部の放熱板の取付構造を示す断面図。
【図１４】本発明の第３実施形態に係る観察装置の構成を示す平面図。
【図１５】同観察装置の構成を示す側面図。
【図１６】同観察装置の構成を示す背面図。
【図１７】本発明の第４実施形態に係るアタッチメントの構成を示す背面図。
【図１８】同アタッチメントの構成を示す側面図。
【発明を実施するための形態】
【００１０】
（第１実施形態）
以下、本発明の第１実施形態かかる観察装置２０及びコンベヤ装置１０について、図１乃至図７を参照して説明する。図１は、本実施形態に係るコンベヤ装置１０を示す斜視図であり、図２は観察装置２０の平面、図３は正面、図４は背面、図５は側面をそれぞれ示す。図６及び図７は観察装置２０の動作を示す説明図である。図中矢印Ｘ，Ｙ，Ｚはそれぞれ互いに直交する３方向を示す。また、各図において説明のため、適宜構成を拡大、縮小または省略して示している。
【００１１】
図１に示すように、コンベヤ装置１０は、搬送路に沿って設けられたベルトベース１４と、ベルトベース１４の搬送方向両端に設けられた一対の搬送ローラ１１，１２と、これらのベルトベース１４及び搬送ローラ１１，１２の外側に掛け渡された無端の搬送ベルト１３と、を備えて構成されている。
【００１２】
搬送ローラ１１，１２は、ベルトベース１４の両端に配置され、図中Ｙに延びる回転軸を中心に回転可能に設けられている。搬送ベルト１３は、所定の長さ（Ｘ方向）及び幅（Ｙ方向）を有する細長いシート状またはチェーン状のベルトがループ状に構成されてなる。搬送ベルト１３は、例えばゴム、樹脂、あるいは樹脂コーティングがされた繊維材から構成される。ここでは一例として幅２５０ｍｍ、長さ６ｍの無端の搬送ベルト１３を用いている。
【００１３】
搬送ローラ１１，１２が駆動され、搬送ベルト１３の幅方向であるＹ方向に沿う回転軸を中心に回転運動すると、搬送ベルト１３が図中Ｘ方向に沿う搬送方向に無端搬送される。
【００１４】
搬送路の上側はＸ方向に沿って一方側から他方側に向かって水平に移動する往路を構成する。搬送路の下側は、他方側から一方側に向かって水平に移動して戻る復路を構成する。搬送ベルト１３の表面は、上側の往路においては上面となり、下側の復路においては下面となる。往路において、搬送ベルト１３の上面（表面）に弁当等の処理対象物１７が載置された状態で送られることにより処理対象物１７が一端側から他端側へ向かう搬送路に沿って送られる。
【００１５】
図１中破線で示すように、搬送路に沿って、弁当などの処理対象物１７に、組立処理、箱詰め処理、加工処理、検視処理などの各種処理を施すための複数の処理ステーションＳ１〜Ｓ３が設けられている。作業者（観察者）Ｐ１あるいは作業用の処理装置が、各処理ステーションＳ１〜Ｓ３にそれぞれ位置し、通過する処理対象物１７に対して各種処理を行う。
【００１６】
観察装置２０は、稼働中のコンベヤ装置１０の搬送ベルト１３上の観察領域（観察対象部）Ａ１を検視・観察するための装置であり、例えば作業者（観察者）Ｐ１による細かい手作業が要求される処理ステーションに設置される。ここでは一例として下流側（他方側）に配された処理ステーションＳ３に観察装置２０が設けられている場合を示している。
【００１７】
観察装置２０は、搬送ベルト１３の上面の観察領域Ａ１から上方（Ｚ軸方向）に離間して配置される拡大鏡２１と、拡大鏡２１を支持する支持部２２と、観察領域Ａ１に光を照射する照明部２３と、を備えて構成される。
【００１８】
拡大鏡２１は、レンズで物体を拡大して観察する光学機器であり、例えば広視野を拡大できる透明のフレネルレンズで構成されている。拡大鏡２１は、例えば防水仕様のプラスチック製の拡大率１．８倍のフレネルレンズであり、搬送ベルト１３の幅寸法と同等以上の幅寸法を有する２５０ｍｍ×３００ｍｍ程度の矩形状に構成されている。拡大鏡２１は観察者Ｐ１と観察領域Ａ１との間に配置され、観察領域Ａ１の像を拡大し、物体を拡大して見せる。なお、観察領域Ａ１として、例えばここでは拡大鏡２１の下方の搬送ベルト１３上の２５０ｍｍ×３００ｍｍ程度の広域を対象としている。
【００１９】
作業者（観察者）Ｐ１は上方から拡大鏡２１を通して下方の観察領域Ａ１を通過する処理対象物１７を検視・観察しながら、処理対象物１７に対して各種作業を行うことができる。また、領域Ａ１内を通過する搬送ベルト１３の表面を検視して残渣１７ａ等の有無を確認することができる。
【００２０】
支持部２２は、拡大鏡２１を囲む矩形の枠状のフレーム部２５と、フレーム部２５を搬送ベルト１３の上方に位置決めして支持する支持脚部（脚部）２６を備えている。拡大鏡２１の下方の空間を通って搬送ベルト１３が移動可能になっている。
【００２１】
図３及び図４に示すように、フレーム部２５は、例えば搬送ベルト１３の幅寸法よりも大きい所定の幅寸法を有する正方形状または長方形の枠型に形成され、上壁部２５ａと外壁部２５ｂとを備える断面Ｌ字形状を成している。このフレーム部２５の上壁部２５ａと外壁部２５ｂに囲まれる下方内側の空間に、照明部２３が配置されている。
【００２２】
図３に示すように、フレーム部２５の手前側の外壁部２５ｂには、電源スイッチ５１ａ，全体照明調整ツマミ５１ｂ，ユニット独立照明調整ツマミ５１ｃなどの各種入力部を有する操作部５２が設けられている。この操作部５２への入力に応じて、照射調整部が動作する。
【００２３】
図５に示す支持脚部２６は、フレーム部２５後方（図６のＹ方向）に延びる第１支持フレーム３１と、下方に延びる第２支持フレーム３２と、第１支持フレーム３１及び第２支持フレーム３２を斜めに接続する第３支持フレーム３３と、を備えて構成されている。
【００２４】
第１支持フレーム３１はフレーム部２５の後方の中央部分から、後方に延びる細長形状の部材であり、第２支持フレーム３２及び第３支持フレーム３３の上端部分に接続され、図５中Ｙ軸に沿う長手方向に移動可能になっている。
【００２５】
第２支持フレーム３２は、図５中Ｚ軸に沿う上下方向に延び長さ調節可能な脚部３２ａと、脚部３２ａの上端に設けられ第１支持フレーム３１に対してスライド可能に支持される上取付部３２ｂと、脚部３２ａの下端に設けられベルトベース１４に着脱可能に固定される下取付部３２ｃと、上取付部３２ｂ近傍に設けられ脚部３２ａをＸ方向の回動軸を中心に回動可能とする回動部３２ｄと、を備えて構成されている。
【００２６】
第３支持フレーム３３は、第１支持フレーム３１と第２支持フレーム３２を斜めに連結して支持する支持脚３３ａと、支持脚３３ａの上端に設けられ支持脚３３ａを第１支持フレーム３１に対してスライド移動及び位置決め固定可能とする上ロック機構３３ｂと、支持脚３３ａの下端に設けられ支持脚３３ａを第２支持フレーム３２に対して回動及び位置決め固定可能とする下ロック機構３３ｃと、上ロック機構３３ｂ近傍に配置され支持脚３３ａと上ロック機構３３ｂを回動調節する回動ロック機構３３ｄと、を備えて構成されている。第３支持フレーム３３は第２支持フレーム３２の動作に応じて移動及び回動してロックされることによりフレーム部２５及び拡大鏡２１を所望の位置に位置決め固定する機能を有する。
【００２７】
支持脚３３ａを長さ調整して伸縮させると、フレーム部２５及び拡大鏡２１がＺ方向に昇降移動可能となっている。また、図７に示すように、支持脚３３ａの長さ調整、上取付部３２ｂのスライド位置調整、及び回動部３２ｄの回動調整により、観察者Ｐ１の観察位置と観察対象物の位置の関係に応じてフレーム部２５及び拡大鏡２１の移動及び傾斜させることができる。
【００２８】
図７に示すように、例えば観察者Ｐ１が観察領域Ａ１の直上よりも手前側（Ｙ軸先端側）に位置する場合には、フレーム部２５を手前側が下方に位置するように傾斜させるとともに、フレーム部２５及び拡大鏡２１を手前側に位置させることができる。このように調整することにより、観察者Ｐ１と観察領域Ａ１との間において、拡大鏡２１の支持位置及び支持角度を調整して所望の姿勢に設定することができる。例えば観察者Ｐ１が移動しても視線に直交する面を成すように拡大鏡２１の姿勢を設定できる。
【００２９】
照明部２３は、フレーム部２５の４辺にそれぞれ配置された４つの防水仕様の照明ユニット４１，４２，４３，４４を備えて構成されている。各照明ユニット４１〜４４は、光を照射する複数のＬＥＤライト４５と、下方が内側に屈曲する板状を成すとともに各ＬＥＤライト４５をフレーム部２５に傾斜角度調整可能に固定する取付部４６とを備えている。
【００３０】
図６に示すように、各ＬＥＤライト４５はフレーム部２５の下方内側の観察領域Ａ１に向かって所定の角度で光を照射するように設置されている。また、取付部４６の下方の屈曲部分によって光が下方内側に向くようになっている。ＬＥＤライト４５は明度調整可能であるとともに、取付部４６の傾斜角度調整によりその照射角が調整可能になっている。これらの明度調整機構と傾斜角度調整可能な取付部４６とにより照明調整部が構成されている。照明部２３の明度及び照射方向等の照射状態は、手動により、あるいは操作部への入力操作に応じて、ユニット４１〜４４毎に独立して、あるいは複数のユニット４１〜４４からなる照明部２３全体を一括して、調整可能となっている。
【００３１】
本実施形態にかかる観察装置２０によれば、以下のような効果が得られる。すなわち、観察領域Ａ１を拡大する拡大鏡２１と観察領域Ａ１に光を照射する照明部２３とを備えた観察装置２０を設けたことにより、コンベヤ装置１０における検視・観察の精度を高め、処理精度を向上することができる。
【００３２】
また、観察装置２０は支持部２２によって搬送ベルト１３を跨ぐように支持されるため、搬送ベルト１３の移動を妨げることがなく、１つの観察装置２０によって搬送ベルト１３の全長を確認することができる。
【００３３】
フレーム部２５の４辺にそれぞれ配置された４つの照明ユニット４１〜４４によって四方向から光を照射する構成としたことにより観察領域Ａ１を無影の状態とすることができ、観察精度をさらに向上させることができる。またこれらの照明ユニット４１〜４４毎に独立して、あるいは照明部２３全体を一括して、調節することにより、処理対象物１７の形状や大きさなどの観察領域Ａ１の環境に応じて適切な照射が可能となる。
【００３４】
処理ステーションＳ３の後方側の中央を一本の支持脚部２６で支持する構造を用いたことにより、処理対象物１７に対する各種処理を行うことが容易となる。拡大鏡２１の支持位置及び支持角度を調節可能としたことにより、観察者Ｐ１と観察領域Ａ１の位置関係等の環境に応じて適切な視覚補助が可能となる。支持部２２を着脱可能に構成としたことにより既存のコンベヤ装置に適用することができる。
【００３５】
（第２実施形態）
図１０は、本発明の第２実施形態に係る観察装置２０Ａの電気回路の構成を示す回路図である。なお、図中において、第１実施形態と同一部分には同一符号を付してその詳しい説明を省略し、異なる部分について主に述べる。以降の実施形態も同様にして重複した説明を省略する。
【００３６】
観察装置２０Ａは、第１実施形態に係る観察装置２０に相当する装置である。観察装置２０Ａは、機器本体及び電源ボックスなどを防滴仕様にしている。観察装置２０Ａの外観は、主に防錆仕様のステンレスを用いている。観察装置２０Ａは、拡大鏡２１Ａと、拡大鏡２１Ａを囲む矩形の枠状のフレーム部２５Ａとを備えている。
【００３７】
拡大鏡２１Ａは、３５０ｍｍ×４５０ｍｍ程度の矩形状に形成されている。その他の点は、第１実施形態に係る拡大鏡２１と同様である。
【００３８】
フレーム部２５Ａは、拡大鏡２１Ａを囲む矩形の枠型に形成されている。フレーム部２５Ａは、外枠を、３６０ｍｍ×４６０ｍｍ程度の寸法に形成されている。その他の点は、第１実施形態に係る拡大鏡２５と同様である。
【００３９】
観察装置２０Ａの電気回路は、コンバータ７１と、調光部７２と、１０個のＬＥＤ基板４５Ａとを備えている。
【００４０】
コンバータ７１は、交流電源ＰＷから供給された交流１００ボルトの交流電力を直流２４ボルトの直流電力に変換する。コンバータ７１は、変換した直流電力を１０個のＬＥＤ基板４５Ａに供給する。交流電源ＰＷは、例えば商用電源である。
【００４１】
調光部７２は、ボリュームコントロール用の基板で構成されている。調光部７２は、ボリュームにより、観察装置２０Ａの照明を無段階で調光できる。具体的には、調光部７２は、ボリュームにより、コンバータ７１から出力される直流電圧を可変させる。
【００４２】
１０個のＬＥＤ基板４５Ａは、照明のための光を放射する部分を構成する電気回路である。ＬＥＤ基板４５Ａは、第１実施形態に係る照明部２３に相当する電気回路を構成する。１０個のＬＥＤ基板４５Ａは、配線ＰＬ，ＭＬにより、全て並列に接続されている。１０個のうち１個のＬＥＤ基板４５Ａは、配線ＰＬ，ＭＬにより、コンバータ７１の直流電力の出力側と接続されている。長方形状のフレーム部２５Ａの対向する２つの短い辺に相当する部分の内部に、それぞれ２個のＬＥＤ基板４５Ａが組み込まれている。長方形状のフレーム部２５Ａの対向する２つの長い辺に相当する部分の内部に、それぞれ３個のＬＥＤ基板４５Ａが組み込まれている。
【００４３】
図１１は、ＬＥＤ基板４５Ａの電気回路の構成を示す回路図である。
【００４４】
ＬＥＤ基板４５Ａは、６個の発光ダイオード（ＬＥＤ）ＬＤ１〜ＬＤ６と、４個の抵抗Ｒ１〜Ｒ４と、ダイオードＤ１とを備えた構成である。１０個のＬＥＤ基板４５Ａに実装された全ての発光ダイオードＬＤ１〜ＬＤ６は、照明部２３Ａの中心照度が４０００〜４７００ルクス程度になる数量が設けられている。ここでは、１０個のＬＥＤ基板４５Ａに実装された全ての発光ダイオードＬＤ１〜ＬＤ６の数は、６０個である。全ての発光ダイオードＬＤ１〜ＬＤ６は、発熱量の低いものを採用している。
【００４５】
発光ダイオードＬＤ１、発光ダイオードＬＤ２、抵抗Ｒ１、発光ダイオードＬＤ３、ダイオードＤ１、発光ダイオードＬＤ４、抵抗Ｒ３、発光ダイオードＬＤ５、発光ダイオードＬＤ６は、順次に直列に接続されている。発光ダイオードＬＤ１〜ＬＤ５は、カソードを発光ダイオードＬＤ６側に接続している。発光ダイオードＬＤ２〜ＬＤ６は、アノードを発光ダイオードＬＤ１側に接続している。抵抗Ｒ２は、抵抗Ｒ１と並列に接続されている。抵抗Ｒ４は、抵抗Ｒ３と並列に接続されている。発光ダイオードＬＤ１のアノードは、正極の配線ＰＬに接続されている。発光ダイオードＬＤ６のカソードは、負極の配線ＭＬに接続されている。
【００４６】
４個の抵抗Ｒ１〜Ｒ４は、発光ダイオードＬＤ１〜ＬＤ６の発熱する熱量及び光量を抑制するために設けられている。４個の抵抗Ｒ１〜Ｒ４を設けることにより、コンバータ７１から供給される直流電圧を発光ダイオードＬＤ１〜ＬＤ６に与える電圧に、段階的に電圧降下させている。４個の抵抗Ｒ１〜Ｒ４を設けることにより、各抵抗Ｒ１〜Ｒ４が発熱する発熱量を分散させている。
【００４７】
ダイオードＤ１は、発光ダイオードＬＤ１〜ＬＤ６に過電流が流れることを防止する。ダイオードＤ１は、各発光ダイオードＬＤ１〜ＬＤ６に均等の電流が流れるようにする。なお、ダイオードＤ１は、２個以上を並列に接続させてもよい。
【００４８】
図１２は、観察装置２０Ａの観察対象物（処理対象物）１７を照射する状態を示す側面図である。
【００４９】
台座１５は、上面が水平方向に拡がるように設けられている。台座１５の上面は、拡大鏡２１Ａと平行である。台座１５は、観察対象物１７を置く場所である。台座１５は、第１実施形態に係る搬送ベルト１３の観察領域Ａ１部分に相当する。
【００５０】
観察装置２０Ａの上側部分は、拡大鏡２１Ａと、電装部保護板２４と、フレーム部２５Ａと、放熱板２８と、１０個のＬＥＤ基板４５Ａとを備えた構成である。ＬＥＤ基板４５Ａと放熱板２８とは、ネジＮ１で取り付けられている。放熱板２８とフレーム部２５Ａとは、ネジＮ２で取り付けられている。
【００５１】
１０個のＬＥＤ基板４５Ａは、フレーム部２５Ａの四辺のそれぞれの内部に分散して設けられている。１０個のＬＥＤ基板４５Ａは、図１２に示すように、下面側がフレーム部２５Ａの内側（拡大鏡２１Ａ側）を向くように、水平方向に対して約３０度傾けて取り付けられている。これにより、１０個のＬＥＤ基板４５Ａのそれぞれに設けられた発光ダイオードＬＤ１〜ＬＤ６は、垂直の下方向に対して約３０度内側に傾いた方向を中心線とした光を放射する。１０個のＬＥＤ基板４５Ａは、拡大鏡２１Ａに反射せず、かつ観察対象物１７に対して、四方向から死角なく無蔭状態を作り出すために、照射角度８０度の指向性タイプを採用している。
【００５２】
電装部保護板２４は、１０個のＬＥＤ基板４５Ａを保護するように、フレーム部２５Ａの四辺のそれぞれの下側に設けられている。電装部保護板２４は、１０個のＬＥＤ基板４５Ａの表面部分全体を覆うことができるような半円筒形状のカバー型である。電装部保護板２４は、例えば、熱に強く割れ難いポリカーボネート材質を用いている。電装部保護板２４は、取り外し容易な構造で取り付けられている。電装部保護板２４の上部（拡大鏡２１Ａの近傍部分）には、拡大鏡２１Ａへの映り込みを防止するための耐熱性の白テープＴＰが貼られている。
【００５３】
図１３は、フレーム部２５Ａ内部の放熱板２８の取付構造を示す断面図である。
【００５４】
放熱板２８は、ステンレスであるフレーム部２５Ａよりも熱伝導性の高いアルミニウムを採用している。
【００５５】
ＬＥＤ基板４５Ａは、ネジＮ１により、放熱板２８に取り付けられている。ネジＮ１は、ＬＥＤ基板４５Ａと放熱板２８との絶縁距離を保つことができる高さを有している。
【００５６】
放熱板２８は、ネジＮ２により、フレーム部２５Ａに取り付けられている。ネジＮ２は、放熱板２８がフレーム部２５Ａに接触しないような高さを有している。
【００５７】
ＬＥＤ基板４５Ａ（発光ダイオードＬＤ１〜ＬＤ６）による発熱は、ネジＮ１を介して、放熱板２８に伝熱する。放熱板２８に伝わった熱は、空気を介して外部に放熱される。
【００５８】
放熱板２８は、ネジＮ２により、フレーム部２５Ａと距離が保たれている。よって、放熱板２８に伝わる熱は、フレーム部２５Ａには伝わり難い。さらに、放熱板２８は、フレーム部２５よりも熱伝導性の高い材質を用いているため、よりフレーム部２５Ａには熱が伝わり難い。
【００５９】
本実施形態によれば、複数個の発光ダイオードＬＤ１〜ＬＤ６を実装したＬＥＤ基板４５Ａに、複数個の抵抗Ｒ１〜Ｒ４を設けることにより、ＬＥＤ基板４５Ａに実装した発光ダイオードＬＤ１〜ＬＤ６の発熱量を抑制することができる。例えば、６個の発光ダイオードＬＤ１〜ＬＤ６を実装したＬＥＤ基板４５Ａに、１個の抵抗しか設けなかった場合、抵抗が許容温度を超える恐れがある。従って、観察装置２０Ａの電気回路は、４０００ルクス以上の照度の光を、複数のＬＥＤ基板４５Ａを用いて、発光ダイオードＬＤ１〜ＬＤ６から放射させる場合であっても、発光ダイオードＬＤ１〜ＬＤ６の発熱を抑制し、安定して通電させることができる。
【００６０】
また、放熱板２８を設けることにより、ＬＥＤ基板４５Ａ（発光ダイオードＬＤ１〜ＬＤ６）による発熱を放熱し易くしている。これにより、ＬＥＤ基板４５Ａの温度上昇を抑制することができる。
【００６１】
さらに、ネジＮ２により、放熱板２８をフレーム部２５Ａと接触させないようにしている。また、放熱板２８をフレーム部２５Ａよりも熱伝導性の高い材質にしている。これらにより、放熱板２８に伝わる熱がフレーム部２５Ａに伝わることを抑制する。
【００６２】
また、ＬＥＤ基板４５Ａには、発光ダイオードＬＤ１〜ＬＤ６の他に、ダイオードＤ１が設けられている。これにより、発光ダイオードＬＤ１〜ＬＤ６に過電流が流れることを防止することができる。
【００６３】
さらに、観察装置２０Ａには、下方の水平面上に置かれた観察対象物１７に対して、上方の四方から垂直下方向に対して約３０度の角度で照射する照射角度８０度の指向性の発光ダイオードＬＤ１〜ＬＤ６が設けられている。これにより、発光ダイオードＬＤ１〜ＬＤ６から発射された光が、観察対象物１７の真上に設けられた拡大鏡２１Ａへ反射することを抑制し、かつ観察対象物１７を四方向から死角なく無蔭状態で照射することができる。
【００６４】
また、発光ダイオードＬＤ１〜ＬＤ６が実装されたＬＥＤ基板４５Ａを保護する電装部保護板２４の上部（拡大鏡２１Ａの近傍）に、テープＴＰを貼ることで、拡大鏡２１Ａへの光の映り込みを防止することができる。
【００６５】
（第３実施形態）
図１４乃至図１６は、本発明の第３実施形態に係る観察装置２０Ｂの構成を示す構成図である。図１４は観察装置２０Ｂの平面、図１５は側面、図１６は背面をそれぞれ示す。
【００６６】
観察装置２０Ｂは、第２実施形態に係る観察装置２０Ａを、デスク型の支持脚部２６Ｂに取り付けた構成である。
【００６７】
支持脚部２６Ｂは、第１支持フレーム３１と、第２支持フレーム３４と、台座１５の上方に延びる第３支持フレーム３５を備えて構成されている。
【００６８】
第１支持フレーム３１は、フレーム部２５Ａの後方（図１４〜図１６のＹ方向）の中央部分から後方に延びる細長形状の部材である。第２支持フレーム３４は、下方（図１４〜図１６のＺ方向）とフレーム部２５Ａ後方の２方向に延びるＬ字型の細長形状の部材である。第３支持フレーム３５は、台座１５の上方（図１４〜図１６のＺ方向と反対の方向）に延びる細長形状の部材である。
【００６９】
第２支持フレーム３４は、フレーム部２５Ａ後方に延びた第１支持フレーム３１を収納する形状の収納部３４ａと、上部に収納部３４ａが取り付けられ、中央部分が折り曲げ可能な下方に延びた脚部３４ｂと、第１支持フレーム３１と収納部３４ａとを固定する調ネジ３４ｃと、脚部３４ｂの折り曲げ可能な可動部分を固定する角度調整ピン３４ｄと、第３支持フレーム３５と脚部３４ｂの下側部分を固定する調ネジ３４ｅとを備えている。
【００７０】
第１支持フレーム３１を収納部３４ａに挿入する深さを調整することで、フレーム部２５Ａ及び拡大鏡２１ＡをＹ軸方向において所望の位置に調整する。調ネジ３４ｃは、第１支持フレーム３１と収納部３４ａとを調整した所望の位置で固定する。
【００７１】
脚部３４ｂは、支点ＡＸを中心として中央部を折り曲げ可能にする可動部分が設けられている。脚部３４ｂの可動部分には、折り曲げる角度に応じて円弧状に設けられた穴ＨＬが空けられている。脚部３４ｂの折り曲げる角度を調整することで、フレーム部２５Ａ及び拡大鏡２１Ａの傾ける角度を所望の角度に調整する。角度調整ピン３４ｄを円弧状に設けられた穴ＨＬに挿し込むことで、脚部３４ｂの折り曲げ角度を調整した所望の角度で固定する。
【００７２】
脚部３４ｂの下側部分は、第３支持フレーム３５を収納する形状になっている。第３支持フレーム３５を脚部３４ｂの下側部分に挿入する深さを調整することで、フレーム部２５Ａ及び拡大鏡２１ＡをＺ軸方向に所望の位置に調整する。調ネジ３４ｅは、第３支持フレーム３５と第２支持フレーム３４とを調整した所望の位置で固定する。
【００７３】
本実施形態によれば、第２実施形態による作用効果に加え、以下の作用効果を得ることができる。
【００７４】
観察装置２０Ｂは、デスク型の形状とすることにより、移動及び設置を容易にすることができる。また、支持脚部２６Ｂを設けることにより、観察対象物に対する拡大鏡２１Ａの位置及び角度を任意に調整することができる。従って、観察者は、観察対象物をより的確にかつ見易くすることができる。
【００７５】
（第４実施形態）
図１７及び図１８は、本発明の第４実施形態に係るアタッチメント１８の構成を示す構成図である。図１７は背面、図１８は側面をそれぞれ示す。
【００７６】
アタッチメント１８は、第３実施形態に係る観察装置２０Ｂにおいて、台座１５の代わりに設けられる部品である。
【００７７】
アタッチメント１８は、第３支持フレーム３５の下側の前面部分に固定される。
【００７８】
アタッチメント１８は、取付部１８ａと、３本の固定ネジ１８ｂとを備えている。取付部１８ａは、図１８に示すように、側面から見ると「コ」の字形状になっている。取付部１８ａは、観察装置２０Ｂを設置する台などの縁の部分に嵌め込む。その後、３本の固定ネジ１８ｂを締めることにより、取付部１８ａが縁に固定される。これにより、観察装置２０Ｂが台などに設置される。
【００７９】
本実施形態によれば、アタッチメント１８を設けることにより、第３実施形態と同様の作用効果を得ることができ、かつ観察装置２０Ｂの適用範囲を広げることができる。
【００８０】
例えば、第１実施形態において、観察装置２０の代わりに、本実施形態に係る観察装置２０Ｂをコンベヤ装置１０に設けてもよい。これにより、第３実施形態による作用効果を得ることのできるコンベヤ装置１０を構成することができる。
【００８１】
なお、本発明は上記実施形態そのままに限定されるものではなく、実施段階ではその要旨を逸脱しない範囲で構成要素を変形して具体化できる。
【００８２】
例えば、上記実施形態においてはプラスチック製のフレネルレンズを用いたがこれに限られるものではなく、例えば凸レンズ等の他の拡大鏡も適用可能であり、ガラス等の材質で構成してもよい。操作部５２等の各部材の配置も上記に限られるものではない。
【００８３】
支持部２２として１本の脚部２６を有する構造を例示したがこれに限られるものではない。２点以上で支持する場合にも本発明を適用できる。図８及び図９に本発明の他の実施形態として３本の脚部２７ａ，２７ｂ，２７ｃを有する３点支持構造を例示する。この例では、手前側の中央に１本の脚部２７ａ、後方側の搬送方向両端に２本の脚部２７ｂ、ｃを配置することにより、搬送ベルト１３を幅方向に跨ぐように支持され、手前側の脚部２７ａを中央部分に配置して搬送方向両側に空間を確保したことにより高い操作性を確保できる。
【００８４】
観察装置２０は下流側の処理ステーションＳ３に設けられた場合について例示したが、これに限られるものではなく、例えば上流側に配置されてもよいし、複数の観察装置２０を複数箇所にそれぞれ設けてもよい。
【００８５】
観察対象は処理対象物１７に限られるものではなく、例えば搬送ベルト１３の表面であっても良く、搬送中に載置される食品の残渣１７ａなどの汚染物が搬送ベルトの表面に付着しているか否かを検視する場合にも適用できる。
【００８６】
上記構成に加え、フレーム部２５の下側に照明部２３の下側を覆うことにより照明部２３を保護するカバーフレームを設けてもよい。また、拡大鏡２１の上面に反射防止や保護のための透明フィルムを設けてもよい。
【００８７】
また、上記各実施形態に開示されている複数の構成要素の適宜な組み合わせにより、種々の発明を形成できる。例えば、実施形態に示される全構成要素から幾つかの構成要素を削除してもよい。
【符号の説明】
【００８８】
Ｓ１〜Ｓ３…処理ステーション、Ｐ１…観察者（作業者）、Ａ１…観察領域（観察対象部）、
１０…コンベヤ装置、１１，１２…搬送ローラ、１３…搬送ベルト、１４…ベルトベース、１７…処理対象物、１７ａ…残渣、２０…観察装置、２１…拡大鏡、２２…支持部、
２３…照明部、２５…フレーム部、２６…支持脚部、３１…第１支持フレーム、３２…第２支持フレーム、３３…第３支持フレーム、４１〜４４…照明ユニット、
４５…ＬＥＤライト、４６…取付部、５２…操作部、１５…台座、１８…アタッチメント、２０Ａ…観察装置、２１Ａ…拡大鏡、２５Ａ…フレーム部、２６Ｂ…支持脚部、３４…第２支持フレーム、３５…第３支持フレーム、４５Ａ…ＬＥＤ基板、７１…コンバータ、７２…調光部。
【図１】
2011013659.tif 000003
【図２】
2011013659.tif 000004
【図３】
2011013659.tif 000005
【図４】
2011013659.tif 000006
【図５】
2011013659.tif 000007
【図６】
2011013659.tif 000008
【図７】
2011013659.tif 000009
【図８】
2011013659.tif 000010
【図９】
2011013659.tif 000011
【図１０】
2011013659.tif 000012
【図１１】
2011013659.tif 000013
【図１２】
2011013659.tif 000014
【図１３】
2011013659.tif 000015
【図１４】
2011013659.tif 000016
【図１５】
2011013659.tif 000017
【図１６】
2011013659.tif 000018
【図１７】
2011013659.tif 000019
【図１８】
2011013659.tif 000020